(57)【要約】【課題】  従来のカップまたはトレーを宙吊り状態にし、該カップまたはトレー内にブドウを収容した場合、カップまたはトレーの底面が箱の底面と接することがなく衝撃が小さいとしても、下側に位置する実には常に上側に位置する実の重量が加わっているために、下側の実は潰れたり皮が剥けたりするといった問題がある。【解決手段】  ボックス状の箱体１と、該箱体の相対向する内周面に形成された少なくとも１対の受け部２ａと、該受け部に係合されブドウ４の軸４ａを固定するための軸固定部材３，６とより構成し、前記軸固定部材に前記軸を固定することでブドウの房が宙吊り状態で箱体内に収容されていることを特徴とするブドウ輸送用箱。【選択図】        図１
2010254303.tif 000002
【特許請求の範囲】
【請求項１】
ボックス状の箱体と、該箱体の相対向する内周面に形成された少なくとも１対の受け部と、該受け部に係合されブドウの軸を固定するための軸固定部材とより構成し、前記軸固定部材に前記軸を固定することでブドウの房が宙吊り状態で箱体内に収容されていることを特徴とするブドウ輸送用箱。
【請求項２】
前記軸固定部材を剪定したブドウの枝や木材、竹、金属、硬質樹脂で構成した棒状体となし、かつ、該棒状体に１つのブドウの房に対して少なくとも１つの孔を開口し、該孔に、露出している軸の房に近い部分を貫通固定することでブドウの房を宙吊り状態で箱体内に収容したことを特徴とする請求項１記載のブドウ輸送用箱。
【請求項３】
前記棒状体に１つのブドウの房に対して２つの孔を開口し、１つの孔に、露出している軸の房に近い部分を貫通させ、他の１つの孔に前記軸の先端部分を貫通させてブドウの房を宙吊り状態で箱体内に収容したことを特徴とする請求項２記載のブドウ輸送用箱。
【請求項４】
前記軸固定部材を段ボールや厚紙、硬質樹脂で構成した短冊状の板状体となし、かつ、該板状体に１つのブドウの房に対して少なくとも１つの切り溝あるいは孔を形成し、該切り溝あるいは孔に、露出している軸の房に近い部分を係合固定することでブドウの房を宙吊り状態で箱体内に収容したことを特徴とする請求項１記載のブドウ輸送用箱。
【請求項５】
前記板状体に１つのブドウの房に対して２つの孔あるいは上辺に連通する２つの切り溝を形成し、前記１つの孔あるいは切り溝に、露出している軸の房に近い部分を貫通または係止させ、他の孔あるいは切り溝に前記軸の先端部分を貫通または係止させてブドウの房を宙吊り状態で箱体内に収容したことを特徴とする請求項４記載のブドウ輸送用箱。
【請求項６】
前記板状体に１つのブドウの房に対して１つの孔あるいは上辺に連通する切り溝を形成すると共に、少なくとも１つの切り起こし片を形成し、前記孔あるいは切り溝に、露出している軸の房に近い部分を貫通または係合させ、前記切り起こし片に前記軸の先端部分を係止させてブドウの房を宙吊り状態で箱体内に収容したことを特徴とする請求項４記載のブドウ輸送用箱。
【請求項７】
前記板状体の長手方向と直交する方向に交差して係合される揺れ防止板を取付けたことを特徴とする請求項４乃至６の何れかに記載のブドウ輸送用箱。
【発明の詳細な説明】
【技術分野】
【０００１】
本発明は、ブドウの実の皮が柔らかい、例えば、天秀、紅伊豆、紅瑞宝や、１つ１つの実が大きい藤稔、ピオーネ、巨峰等であっても、輸送時に実が潰れたり皮が剥けたりすることなく輸送することが可能なブドウ輸送用箱に関する。
【背景技術】
【０００２】
従来におけるブドウ等の果肉が柔らかい果実を輸送用箱としては、特開２００４−２５００９８号公報に開示されている発明がある。この発明は、箱の内部を区分けするように配設した中仕切材を形成し、該中仕切材で複数の部屋を形成すると共に前記箱の内側面に相対向する突出部を形成し、この突出部と前記中仕切材とでブドウ等の果実を収納した簡易包装用カップまたはトレーのフランジ部を保持させ、カップまたはトレーの底面が箱の底面と接しないように宙吊り状態で支持したものである。
【０００３】
そして、このような構成の箱とすることで、輸送時に発生する衝撃に対してカップやトレーが宙吊り状態であることから箱の底面と接することがなく、従って、果実の荷痛みを軽減することができるというものであった。
【先行技術文献】
【特許文献】
【０００４】
【特許文献１】特開２００４−２５００９８号公報
【発明の概要】
【発明が解決しようとする課題】
【０００５】
ところで、ブドウの輸送は房の状態で複数個を箱詰めして輸送することが一般的であるため、前記した先行技術のようなカップまたはトレーに収納して輸送した場合、カップまたはトレーに収納されている１つのブドウの房において必ず下側に位置する多数の実が存在することとなる。
【０００６】
そのために、例え、カップまたはトレーが宙吊り状態でカップまたはトレーの底面が箱の底面と接することがなく衝撃が小さいとしても、下側に位置する実には常に上側に位置する実の重量が加わっているために、下側の実は潰れたり皮が剥けたりするといった問題がある。
【０００７】
本発明は前記した問題点を解決せんとするもので、その目的とするところは、皮が柔らかく剥けやすいブドウの実や、１つの実の重量が大きく潰れやすいブドウであっても、多数の実が付いている軸の部分を箱内の上方において固定し房自体が自然に実っている状態と同じ宙吊り状態として運搬することで、ブドウの実が潰れたり皮が剥けたりすることがないブドウ輸送用箱を提供せんとするにある。
【課題を解決するための手段】
【０００８】
本発明のブドウ輸送用箱は前記した目的を達成せんとするもので、請求項１の手段は、ボックス状の箱体と、該箱体の相対向する内周面に形成された少なくとも１対の受け部と、該受け部に係合されブドウの軸を固定するための軸固定部材とより構成し、前記軸固定部材に前記軸を固定することでブドウの房が宙吊り状態で箱体内に収容されていることを特徴とする。
【０００９】
請求項２の手段は、前記した請求項１において、前記軸固定部材を剪定したブドウの枝や木材、竹、金属、硬質樹脂で構成した棒状体となし、かつ、該棒状体に１つのブドウの房に対して少なくとも１つの孔を開口し、該孔に、露出している軸の房に近い部分を貫通固定することでブドウの房を宙吊り状態で箱体内に収容したことを特徴とする。
【００１０】
請求項３の手段は、前記した請求項２において、前記棒状体に１つのブドウの房に対して２つの孔を開口し、１つの孔に、露出している軸の房に近い部分を貫通させ、他の１つの孔に前記軸の先端部分を貫通させてブドウの房を宙吊り状態で箱体内に収容したことを特徴とする。
【００１１】
請求項４の手段は、前記した請求項１において、前記軸固定部材を段ボールや厚紙、硬質樹脂で構成した短冊状の板状体となし、かつ、該板状体に１つのブドウの房に対して少なくとも１つの切り溝あるいは孔を形成し、該切り溝あるいは孔に、露出している軸の房に近い部分を係合固定することでブドウの房を宙吊り状態で箱体内に収容したことを特徴とする。
【００１２】
請求項５の手段は、前記した請求項４において、前記板状体に１つのブドウの房に対して２つの孔あるいは上辺に連通する２つの切り溝を形成し、前記１つの孔あるいは切り溝に、露出している軸の房に近い部分を貫通または係止させ、他の孔あるいは切り溝に前記軸の先端部分を貫通または係止させてブドウの房を宙吊り状態で箱体内に収容したことを特徴とする。
【００１３】
請求項６の手段は、前記した請求項４において、前記板状体に１つのブドウの房に対して１つの孔あるいは上辺に連通する切り溝を形成すると共に、少なくとも１つの切り起こし片を形成し、前記孔あるいは切り溝に、露出している軸の房に近い部分を貫通または係合させ、前記切り起こし片に前記軸の先端部分を係止させてブドウの房を宙吊り状態で箱体内に収容したことを特徴とする。
【００１４】
請求項７の手段は、前記した請求項４乃至６の何れかにおいて、前記板状体の長手方向と直交する方向に交差して係合される揺れ防止板を取付けたことを特徴とする。
【発明の効果】
【００１５】
本発明は前記したように、ブドウの軸を軸固定部材に吊り下げ状態で固定し、該軸固定部材を段ボール等の箱体の内周面に形成された１対の受け部に取付けることで、ブドウの房は箱体内において宙吊り状態で収納されるので、輸送時に従来の横積みのように上方に位置するブドウの実によって下方に位置する実が潰れたり、また、実どうしの擦り合いによって皮が剥がれたりすることなく、ブドウが自然に実っている時の状態で輸送することができる。
【００１６】
また、軸固定部材を室内等に多数個配置しておくことで、ブドウ園から採取したブドウを前記軸固定部材に順次宙吊り状態に吊り下げる作業を行った後に、箱体の受け部に軸固定部を係止するようにすれば、ブドウを輸送するための作業が容易となり、従って、作業の効率を図ることができる。
【００１７】
また、軸固定部材を棒状体となし、該棒状体に１つのブドウの房に対して２つの孔を開口し、１つの孔に、露出している軸の房に近い部分を貫通させ、他の１つの孔に前記軸の先端部分を貫通させてブドウの房を宙吊り状態で箱体内に収容することで、輸送時の振動によって軸がみだりに棒状体から外れることがなく、従って、初期の状態で輸送が行える。
【００１８】
さらに、軸固定部材を剪定したブドウの枝を使用することで、恰もブドウが枝から吊り下げられた自然の状態に見えるので、購入者に対して喜びを与えることができる。
【００１９】
また、軸固定部材を段ボール等により短冊状の板状体となし、該板状体に１つのブドウの房に対して２つの孔あるいは上辺に連通する２つの切り溝を形成し、前記１つの孔あるいは切り溝に、露出している軸の房に近い部分を貫通または係止させ、他の孔あるいは切り溝に前記軸の先端部分を貫通または係止させたり、また、軸の先端部分を切り起こし片に係合してブドウの房を宙吊り状態で箱体内に収容することで、輸送時の振動によって軸がみだりに板状体から外れることがない共に軸固定部材のコストが安くなり輸送用箱としてのコストの低減が図れると共に購入者の廃棄処分が楽に行え、かつ、再生再利用が容易である。
【００２０】
さらに、板状体の長手方向と直交する方向に交差して係合される揺れ防止板を取付けることで、輸送時に振動が加わっても板状体がブドウの重量で湾曲してブドウの房が揺れるのを防止でき、従って、ブドウの実の損傷を防止できる等の効果を有するものである。
【図面の簡単な説明】
【００２１】
【図１】本発明に係るブドウ輸送用箱の実施例を示し、ブドウを吊るす軸固定部材が棒状体の場合であってブドウを箱体に収容する状態を示す斜視図である。
【図２】軸固定部材が板状体である斜視図である。
【図３】図２の板状体の軸固定部材にブドウを吊るした状態の正面図である。
【図４】図３のブドウを箱体に収容した状態の平面図である。
【図５】他の実施例の板状体にブドウを吊るした状態の一部を示した斜視図である。
【発明を実施するための形態】
【００２２】
以下、本発明に係るブドウ輸送用箱の実施例を図面と共に説明する。
図１は第１の実施例を示し、１はボックス状の箱体にして、内部には強度を増すためにコの字状の補強体２が挿入されている。そして、該補強体２における上縁の相対向する面に４個のＶ字状の溝である受け部２ａが形成されている。
【００２３】
なお、前記箱体１を構成する部材としてはコスト的に安価である段ボールや厚紙が望ましいが、硬質樹脂、木材等の如何なる部材であってもよい。また、前記補強体２としてはコの字のものではなく、板状の物であってもよく、かつ、受け部２ａはＶ字状の溝に限定されるものではなく、丸、四角等の孔であってもよい。さらに、箱体１が合成樹脂等の強度が高い場合には補強体２は必要ではなく、かつ、受け部２ａは箱体１の製作時に一体的に形成してもよい。
【００２４】
３はブドウ４の木における蔓から延びる軸４ａ部分を固定して吊り下げるための剪定したブドウ４の枝で構成した棒状体からなる軸固定部材にして、左右に２個ずつの孔３ａが開口されている。そして、前記軸４ａにおける露出した房４ｂに近い部分を中央側の孔３ａに貫通し、貫通した部分を折り曲げて外側の孔３ａに貫通することで房４ｂを吊り下げる。
【００２５】
なお、前記軸４ａとしては、蔓から延びる本物の軸に限定されるものではなく、房４ｂに近い部分から軸固定部材３の孔３ａに挿入した場合に、容易に抜けることがない摩擦抵抗が大きく、かつ、変形が容易な材料の軸を接続した物も含むものとする。
【００２６】
このように、２つの孔３ａに軸４ａを貫通して取付けることで、重量の重い房４ｂであっても軸固定部材３より落下することはない。
【００２７】
なお、前記説明においては軸固定部材３として剪定したブドウ４の枝である棒状体の場合について説明したが、ブドウ４の枝に限定されるものではなく、木材、竹、金属、硬質樹脂等の棒状体であってもよく、また、軸４ａを棒状体である軸固定部材３に取付ける手段としては、軸４ａにおける露出した房４ｂに近い部分を１つの孔３ａに貫通して先端部分を結束バンド（輪ゴム等）で固定する等、種々の固定方法を含むものである。
【００２８】
さらに、図示した実施例にあっては、１つの軸固定部材３に２つのブドウ４を吊り下げ、かつ、２つの軸固定部材３を示したが、１つの軸固定部材３に１つのブドウあるいは２個以上のブドウ４を吊り下げてもよく、また、２つの軸固定部材３に限定されるものではなく、１つまたは２つ以上であってもよい。
【００２９】
前記したようにブドウ４を吊り下げた軸固定部材３の両端を箱体１内に配置された補強体２の受け部２ａに係止した状態で、箱体１の蓋１ａを閉じることで、ブドウ４は箱体１内に宙吊り状態で収容されるので、従来のようにブドウを箱体内に横向きで収容した場合に比して、ブドウ４の実が他の実によって圧迫されることがなく、従って、１つ１つの実が潰れたり皮が剥けたりすることがない。
【００３０】
そして、受け部２ａに棒状体である軸固定部材３を係止した状態において、箱体１の蓋１ａの裏面で軸固定部材３が受け部２ａの下側に押し付けるような受け部２ａの形状とすることで、軸固定部材３が輸送時に箱体１内で上下動することがないので、ブドウ４における房４ｂが大きく上下動するのを防止でき、従って、実の落下を防止や潰れおよび皮が剥けるのを防止できる。
【００３１】
なお、図１において５はブドウ４の房４ｂを覆う緩衝材で構成された編み目状の緩衝袋にして、箱体１が輸送時に前後左右方向に揺れた場合に房４ｂどうしが当接して実に損傷を与えないようにした。また、図４に示すように、ブドウ４の房４ｂどうし、および、房４ｂと箱体１の内壁面との隙間に緩衝材８を挟むことが望ましい。
【００３２】
次に、図２〜図４に示す他の実施例について説明する。なお、前記した実施例と同一符号は同一部分を示し説明は省略する。
前記した実施例における軸固定部材３は棒状体のものであるが、この実施例にあっては、段ボールや厚紙を短冊状の板状体を軸固定部材６としたものである。                      
【００３３】
そして、この実施例における板状体である軸固定部材６には上辺に連通し、露出している軸４ａの房４ｂに近い部分を係止する底面に向かって先細りの第１溝６ａと、上辺に連通する上下方向の溝と、該溝と連通し先細り形状の横方向に延びるＬ字状の第２溝６ｂとが形成されている。
【００３４】
このように構成した軸固定部材６に対してブドウ４を吊り下げるには、先ず、露出している軸４ａの房４ｂに近い部分を第１溝６ａに差し込み係止する。この時、第１溝６ａの深さは軸４ａの太さと略同じで、かつ、先細り形状となっているので、軸４ａの上面は第１溝６ａの縁と略面一状態となっている。
【００３５】
次いで、軸４ａの先端部分を第２溝６ｂの上下方向の溝に挿入しながら横方向の溝に移動して先細り部分に係止することで軸４ａは固定されるので、房４ｂの重量が重くとも軸４ａが抜け出ることなく確実に固定される。
【００３６】
なお、板状体の軸固定部材６の場合には、長手方向と直交する方向の外力により湾曲する可能性があるので、図２に示すように軸固定部材６の長手方向の中央部に長溝６ｃを形成し、この長溝６ｃと係合する長溝７ａが形成された揺れ防止板７の長溝７ａと係合する。そして、揺れ防止板７の両端を箱体１の内壁面に当接することで、軸固定部材６の長手方向と直交する方向に外力が作用しても軸固定部材６が湾曲することがないので、ブドウ４の房４ａが大きく揺れることがなく、従って、実の落下を防止や潰れおよび皮が剥けるのを防止できる。
【００３７】
前記した板状体からなる軸固定部材６の場合は、前記した第１の実施例と同様に、１つのブドウ４の房４ｂに対して２つの孔を形成し、この孔にブドウ４の軸４ａを貫通した形状のものであってもよい。
【００３８】
なお、図４に示す８はブドウ４の房４ｂどうし、および、房４ｂと箱体１の内壁面との隙間に緩衝材にして、この緩衝材８によってブドウ４の房４ｂの輸送時の振動による揺れにも対処することが可能である。
【００３９】
次に、図５に示す板状体である軸固定部材６の他の形状について説明する。
前記した実施例では第１溝６１と第２溝６２に軸４ａを係止したものであるが、この実施例では板状体である軸固定部材６には上辺に連通し露出している軸４ａの房４ｂに近い部分を係止する溝６ｄと、該溝６ｄに係止され折り返された軸４ａを係止する第１切り起こし片６ｅと、該第１切り起こし片６ｅにおいて係止され上方に向かって折り返された軸４ａを係止する第２切り起こし片６ｆとが形成されている。
【００４０】
なお、前記第１折り返し６ｅは上方から延びる軸４ａを係止するために下方側が開放され、また、第２折り返し片６ｆは第１折り返し片６ｅから下方から延びる軸４ａを係止し、軸４ａが直線状に戻ろうとする弾性力を利用して軸４ａの先端部分を係止するものであることから、図示のものにあっては上方側か開放されているが、第１、第２切り起こし片６ｅ，６ｆの位置関係によっては下方側が開放される。
【００４１】
そして、このように第１、第２切り起こし片６ｅ，６ｆの２か所で係止することで、２つの第１、第２切り起こし片６ｅ，６ｆと軸４ａとの摩擦抵抗が大きくなることで、房４ｂの重量が重くとも房４ｂが下方にずり落ちて下部に位置する実が箱体１の底面と接触することを防止でき、従って、下方の実が潰れたり皮が剥がれたりするのを防止できる。
【００４２】
前記した各実施例において、軸固定部材３，６を室内等に多数個配置しておき、ブドウ園から採取したブドウを前記軸固定部材に順次宙吊り状態に吊り下げる作業を行った後に、箱体の受け部に軸固定部を係止するようにすれば、ブドウを輸送するための作業が容易となり、従って、作業の効率を図ることができる。
【符号の説明】
【００４３】
１          箱体
１ａ        蓋
２          補強体
２ａ        受け部
３          棒状体である軸固定部材
３ａ        孔
４          ブドウ
４ａ        軸
４ｂ        房
５          緩衝袋
６          板状体の軸固定部材
６ａ        第１溝
６ｂ        第２溝
６ｃ        長溝
６ｄ        溝
６ｅ        第１折り返し片
６ｆ        第２折り返し片
７          揺れ防止板
７ａ        長溝
８          緩衝体
【図１】
2010254303.tif 000003
【図２】
2010254303.tif 000004
【図３】
2010254303.tif 000005
【図４】
2010254303.tif 000006
【図５】
2010254303.tif 000007